(57)【要約】【課題】扉を閉める際の、仮ロック時に生じる異音を低減する。【解決手段】プルハンドル６０を、扉の戸先側に固定された上下ハンドル座４０、５０間にわたし、下ハンドル座５０のヒンジ５１にその下端を固定し、これを中心として上部が上ハンドル座４０から離反する方向に揺動可能とする。上ハンドル座４０の内部には、扉枠に固定されたストライカと係合可能な係合凹部７２ａを有するラッチ７２と、ラッチ７２の係合爪７２ｂに係合可能なロック爪７３ａを有するラチェット７３とを揺動可能に支持する。爪７２ｂ、７３ａの係合により、係合凹部７２ａによるストライカのロック状態が保持されるが、これらの係りしろは小さいためロック時に異音はほとんど生じない。ラチェット７３は、解除アーム４３を介してプルハンドル６０と連動し、その引きにより、ラッチ７２との係合が外れる向きに揺動してロックが解除される。【選択図】図２
2007291688.tif 000002
【特許請求の範囲】
【請求項１】
扉枠と、
この扉枠の出入口を開閉する扉と、
この扉の戸先側に取り付けられた上下一対のハンドル座と、
下ハンドル座により支持された下端部を中心として上部が上ハンドル座から離反する方向に揺動可能なバー状のプルハンドルと、
扉枠の上ハンドル座と対向する位置に取り付けられたストライカと、
上ハンドル座の内部に揺動可能に組み込まれ、上ハンドル座の外部に臨む一側下部にストライカと係合可能な係合凹部を有し、他側上部に係合爪を有するラッチと、
このラッチを係合凹部とストライカとの係合が解除される方向に付勢する弾性部材と、
上ハンドル座内のラッチの背部に組み込まれて、ラッチの係合爪に対する係合によってラッチのストライカとの係合状態を保持するラチェットと、
このラチェットをラッチの係合爪と係合する方向に付勢する弾性部材と、
前記上ハンドル座から離反する方向のプルハンドルの揺動に連動して、ラチェットをラッチの係合爪から係合が解除される方向に操作する解除アームとを備えた建築物用仮ロック機能付き扉装置。
【請求項２】
上記ラチェットの付勢方向の先行側に、ラッチとの係合時にラチェットが当接するストッパを設けた請求項1に記載の建築物用仮ロック機能付き扉装置。
【請求項３】
上記ストッパにゴムリングを装着した請求項２に記載の建築物用仮ロック機能付き扉装置。
【発明の詳細な説明】
【技術分野】
【０００１】
この発明は、建築物の出入口に取り付けられる、ラッチによる仮ロック機能を有する扉装置に関する。
【背景技術】
【０００２】
従来から、家屋等の建築物の出入口に取り付けられる扉装置には、閉扉した状態から風圧等を受けて開かないように、ラッチ（ラッチボルト）による仮ロック機能が設けられたものがよく用いられている。
これらは、扉と扉枠をヒンジ結合した扉装置の、扉の戸先側から突出するラッチを、扉枠の対向する位置に設けられた受け金具の係合穴にはめ込む仕組みであって、デッドボルトによる本ロックをしなくとも閉扉状態を維持できるため便利である。
【０００３】
例えば、特許文献１には、ラッチをハンドル操作により進退可能とすることにより扉の戸先側から出没させ、前進による突出時には、ラッチが扉枠の受け金具の係合穴にはまり込んでロックされ、後退による没入時には、ラッチは係合穴から抜け出てロックが解除される仮ロック機能付き扉装置が開示されている。
【０００４】
また、特許文献２には、扉の回動方向に傾斜面を設けたラッチを、ハンドル操作により反転可能とし、ラッチが受け金具の係合穴にはまり込んだ状態で傾斜面を立てると、抜き取ることができなくなってロックされ、傾斜面を寝かせると、係合穴からラッチを抜き取り可能となってロックが解除される仮ロック機能付き扉装置が開示されている。
【０００５】
しかしこれら従来の機構は、いずれも仮ロック時に、ラッチの先端が扉枠の係合穴底面に衝突したりするなどして、非常に大きな異音が発生するという不都合がある。
【特許文献１】特開平１０−１８６６７号公報
【特許文献２】特開平１１−１４８２５９号公報
【発明の開示】
【発明が解決しようとする課題】
【０００６】
この発明は、扉装置の仮ロック時に生じる異音の低減化を図ることを課題とする。
【課題を解決するための手段】
【０００７】
上記した課題を解決するため、この発明にかかる建築物用仮ロック機能付き扉装置を、扉枠と、この扉枠の出入口を開閉する扉と、この扉の戸先側に取り付けられた上下一対のハンドル座と、下ハンドル座により支持された下端部を中心として上部が上ハンドル座から離反する方向に揺動可能なバー状のプルハンドルと、扉枠の上ハンドル座と対向する位置に取り付けられたストライカと、上ハンドル座の内部に揺動可能に組み込まれ、上ハンドル座の外部に臨む一側下部にストライカと係合可能な係合凹部を有し、他側上部に係合爪を有するラッチと、このラッチを係合凹部とストライカとの係合が解除される方向に付勢する弾性部材と、上ハンドル座内のラッチの背部に組み込まれて、ラッチの係合爪に対する係合によってラッチのストライカとの係合状態を保持するラチェットと、このラチェットをラッチの係合爪と係合する方向に付勢する弾性部材と、上ハンドル座から離反する方向のプルハンドルの揺動に連動して、ラチェットをラッチの係合爪から係合が解除される方向に操作する解除アームとを備えた構成としたのである。
【０００８】
このようにすれば、扉装置のロック時に係合するラッチの係合爪とラチェットとの係りしろを小さくできるため、衝撃を抑えられ、閉扉時の異音を低減することができる。
【０００９】
ラチェットの付勢方向の先行側に、ラッチとの係合時にラチェットが当接するストッパを設けると、ストッパへの当接により係合時の衝撃が分散緩和されるため、一層減音することができる。
【００１０】
ストッパにゴムリングを装着すると、ゴムの緩衝作用により、ラチェットとストッパとの衝突の際の衝撃が吸収されるため、さらに減音効果が高まる。
【発明の効果】
【００１１】
扉を仮ロックする機構を、ストライカと係合する揺動式のラッチと、この揺動式ラッチのストライカに対する保持状態を維持するラチェットとから構成し、ロック時に係合するラッチの係合爪とラチェットとの係りしろを小さくしたことにより、ロック時における異音が従来に比べて低減される。
【発明を実施するための最良の形態】
【００１２】
以下、図面を参照しつつこの発明の実施の形態について説明する。
図１から図８に、実施形態にかかる建築物用仮ロック機能付き扉装置（以下、扉装置と称する。）１を示す。
図示のように、扉枠１０の出入口には、扉２０がヒンジにより開閉可能に取り付けられている。
【００１３】
扉２０の屋外側の戸先には、一対のほぼ相似形のハンドル座４０、５０が上下に間隔をおいて取り付けられ、上下のハンドル座４０、５０間にはバー状のプルハンドル６０がわたされている。
プルハンドル６０の下端部はヒンジ５１を介して下ハンドル座５０に連結され、これによりプルハンドル６０は、ヒンジ５１を中心としてその上部が上ハンドル座４０から離反する方向に揺動自在とされている。
【００１４】
図４から図６に示すように、上ハンドル座４０は、扉枠１０と対向する端面において開口する中空部を有し、中空部の閉塞端にはアーム挿入孔４１が形成されている。
【００１５】
上ハンドル座４０の扉枠１０側の開口した端面には、中空部を閉塞するカバー４２が取り付けられ、カバー４２の端板下部には切欠部４２ａが設けられている。
【００１６】
また、上ハンドル座４０の中空部には解除アーム４３が組み込まれている。
解除アーム４３は、端板の両側に一対の側板を設けたコの字型をなし、上記端板はアーム挿入孔４１から上ハンドル座４０外部に臨み、プルハンドル６０に固定されている。
【００１７】
解除アーム４３の一方側板には三角形状の窓４３ａが形成され、この窓４３ａから端板寄りの両側板の対向する部分には、長孔４３ｂが形成されている。
長孔４３ｂには連結ピン４４が挿入されて上ハンドル座４０に固定され、この連結ピン４４と解除アーム４３の先端に設けられた係止ピン４３ｃとの間にはキックばね４５が設けられている。
【００１８】
このキックばね４５は、プルハンドル６０の上方が上ハンドル座４０から離反する方向に揺動したとき弾性変形し、その復元弾性によってプルハンドル６０をその上部が上ハンドル座４０に接近する方向に復動させるようになっている。
【００１９】
上ハンドル座４０における中空部の開口端側の内部には、ストライカ３０に対する係合によって扉２０を仮止めするロック装置７０が組み込まれている。
【００２０】
ここで、図１、図２に示すように、ストライカ３０は、支持枠３１と、その支持枠３１の対向する側板間にわたされた係止バー３２とからなり、支持枠３１は上ハンドル座４０と対向するようにして扉枠１０に固定されている。
【００２１】
図４から図６のように、ロック装置７０は、角筒状のケーシング７１を有する。
このケーシング７１は、上ハンドル座４０の中空部内に挿入され、開口端から外向きに形成されたフランジ７１ａが上ハンドル座の端面に衝合されてねじ止めされている。
【００２２】
ケーシング７１の対向する側板間には、２本の支持ピン７１ｂ、７１ｃが前後に間隔をおいてわたされ、開口端側に設けられた前側の支持ピン７１ｂによって、プレート状のラッチ７２が揺動自在に支持されている。
また、後ろ側の支持ピン７１ｃによって、プレート状のラチェット７３が揺動自在に支持されている。
【００２３】
ラッチ７２は支持ピン７１ｂによりその中央部が支持され、その外周一側部はカバー４２の切り欠き部４２ａに対して嵌合自在とされ、その外周一側下部にストライカ３０の係止バー３２に対して係合可能な係合凹部７２ａが形成されている。
また、ラッチ７２の他側下部は凸円弧面とされ、その凸円弧面の上部に係合爪７２ｂが設けられている。
【００２４】
ラチェット７３は、ほぼＬ字型であって、その一端部が支持ピン７１ｃにより支持されている。
ラチェット７３のラッチ７２と対向する外周一側上部にはラッチ７２の係合爪７２ｂと係合可能なロック爪７３ａが形成されており、このロック爪７３ａと係合爪７２ｂの係合によって、ラッチ７２は係合凹部７２ａがストライカ３０の係止バー３２と係合する状態に保持される。
【００２５】
また、ラチェット７３の他端部側面には連動ピン７３ｂが設けられている。
この連動ピン７３ｂは、解除アーム４３の窓４３ａに挿入され、プルハンドル６０の上部を引く操作に伴い解除アーム４３が引かれると、窓４３ａの縁に当たって一緒に引かれる。
このようにして、ロック爪７３ａがラッチ７２の係合爪７２ｂから外れる向きにラチェット７３が揺動するようになっている。
【００２６】
また、ケーシング７１の対向する側板間の上部の、ラチェット７３の外周一側上部と対向する位置には、ストッパ７４がわたされている。
ラチェット７３は、このストッパ７４にロック爪７３ａより上部の一部が当接することによってラッチ７２側へのそれ以上の揺動が阻止される。
また、このストッパ７４外面には、ゴムリング７４ａが装着されている。
【００２７】
ここで、ラッチ７２は、ケーシング７１内に組み込まれた弾性部材７５が係合爪７２ｂ背面に当接することによって、その係合凹部７２ａより上部の一部がカバー４２の切り欠き４２ａの上縁に当接する方向に付勢されている。
【００２８】
一方ラチェット７３は、ケーシング７１内に組み込まれた弾性部材７６がＬ字屈曲部の下部に当接することによって、ロック爪７３ａがラッチ７２の係合爪７２ｂに係合する方向に付勢されている。
【００２９】
また、図６に示すように、ラチェット７３のＬ字屈曲部の側面にはガイドピン７３ｃが設けられている。
このガイドピン７３ｃは、ケーシング７１の一方側板に形成された円弧状の長孔７１ｄに挿入され、その長孔７１ｄからケーシング７１外部に突出する端部には、図５に示すようにリンク７７の一端部が支持されている。
【００３０】
また、リンク７７の他端部は、支持ピン７１ｃの端部に支持され、リンク７７はこの支持ピン７１ｃを中心に、ラチェット７３と連動して揺動自在となっている。
このリンク７７の他端部には突片７７ａが設けられ、図２に示すように、突片７７ａ上には、内外連動バー２１の一端部が当接している。
【００３１】
また、図２のように、内外連動バー２１は扉２０内において揺動可能に支持され、その他端部上には解除バー８１の先端が当接している。
【００３２】
一方、図１および図２のように、扉２０の屋内側の戸先には、一対のほぼ相似形のハンドル座８０、９０が上下に間隔をおいて取り付けられている。
そして、上下のハンドル座８０、９０間にはバー状のプッシュハンドル１００がわたされている。
図７のように、プッシュハンドル１００の下端部はヒンジ９１を介して下ハンドル座９０に連結され、これによりプッシュハンドル１００は、ヒンジ９１を中心としてその上部が上ハンドル座８０に接近する方向に揺動自在とされている。
【００３３】
図７、図８のように、上述した解除バー８１の後端部はこの上ハンドル座８０の中空部に差し込まれプッシュハンドル１００に固定されている。
そのため、解除バー８１は、プッシュハンドル１００の押し込み動作に連動して下向きに揺動するようになっている。
そして、解除バー８１に押された内外連動バー２１は揺動し、ロック装置７０のリンク７７の突片７７ａを押し上げるようになっている。
【００３４】
実施形態にかかる扉装置１の構造は、以上のようである。
【００３５】
図１のように、扉２０が開いた状態において、図３（ａ）のように、ラッチ７２の係合爪７２ｂとラチェット７３のロック爪７３ａとは外れている。
このとき、ラッチ７２は弾性部材７５の付勢により、係合凹部７２ａより上部がカバー４２の切り欠き４２ａ上縁に当接している。
また、ラチェット７３は弾性部材７６の付勢により、連動ピン７３ｂが解除アーム４３の窓４３ａの縁から離れて、いわゆる遊んだ状態となっている。
【００３６】
この状態から、プルハンドル６０を押して、図３（ａ）中矢印で示すように扉２０を扉枠１０側に揺動させていく。
すると、扉２０の上ハンドル座４０から外部に臨むラッチ７２の係合凹部７２ａに、扉枠１０に取り付けられたストライカ３０の係止バー３２がはまり込み、そのまま保持されつつ、ラッチ７２が係止バー３２に押圧されて弾性部材７５に抗して付勢方向と逆向きに揺動する。
【００３７】
この揺動時には、ラッチ７２の係合爪７２ｂの背側の凸円弧面が、ラチェット７３のロック爪７３ａの腹側の凹円弧面に摺接しつつ、係合爪７２ｂが上昇していく。
そして、ラッチ７２の係合爪７２ｂがラチェット７３のロック爪７３ａの背を乗り越えたと同時に、弾性部材７５、７６の付勢によりこれらは噛み合って図３（ｂ）のように扉装置１は閉扉と同時に仮ロックされる。
【００３８】
この時のラッチ７２とラチェット７３の爪７２ｂ、７３ａ同士の係りしろは非常に小さい。
また、爪７２ｂ、７３ａ同士の係合と同時に、ラチェット７３のロック爪７３ａより上部が、ストッパ７４に当接するため、衝撃が分散緩和される。
そして、ストッパ７４にはゴムリング７４ａが装着されているため、このゴムが衝撃を吸収する。
そのため、扉装置１の仮ロック時には、ほとんど異音が発生しない。
【００３９】
一方、図２のように、扉２０を閉めた状態から、プルハンドル６０を引っ張ると、図３（ｃ）のように、解除アーム４３は、その長孔４３ｂに差し込まれた連結ピン４４に案内されてスライドし、後端部が上ハンドル座４０から引き出される。
【００４０】
解除アーム４３が引かれると、解除アーム４３の窓４３ａに遊んだ状態で差し込まれていた連動ピン７３ｂが、窓４３ａの縁にかかるとともに引かれ、ラチェット７３は支持ピン７１ｃを中心に、ラッチ７２から離反する方向に揺動する。
このため、ラッチ７２の係合爪７２ｂとラチェット７３のロック爪７３ａとの係合が外れるとともに、弾性部材７５の付勢により、ラッチ７２は係合凹部７２ａがストライカ３０を開放する向きに揺動し、扉装置１の仮ロックが解除され、開扉される。
【００４１】
同様に、扉２０を閉めた状態から、プッシュハンドル１００を押すと、解除バー８１が下向きに揺動し、これに押されて内外連動バー２１が揺動してロック装置７０のリンク７７の突片７７ａを押し上る。
リンク７７に連動してラチェット７３も揺動することにより、ラッチ７２との係合が外れ開扉される。
【００４２】
なお、この実施形態においては、ラチェット７３を揺動式のものとしたがこれに限定されず、ラッチ７２と係合する向きに弾性部材７６で付勢し、かつ係合が解除される向きにプルハンドル６０で操作可能であれば他の構造で代替してもよい。
例えば、ケーシング７０内に直線的に進退運動可能なラチェット７３を組み込み、弾性部材７６によりラッチ７２に係合する方向（前進方向）に付勢し、プルハンドル６０によりラッチ７２との係合が解除される方向（後退方向）に操作できるように形成しても構わない。
【図面の簡単な説明】
【００４３】
【図１】実施形態にかかる扉装置の斜視図
【図２】扉装置の平面図
【図３（ａ）】図２のＩ−Ｉ線に沿った縦断面図
【図３（ｂ）】図３（ａ）の扉装置が閉扉と同時に仮ロックされた状態の縦断面図
【図３（ｃ）】図３（ａ）の扉装置が仮ロックを解除され開扉された状態の縦断面図
【図４】プルハンドルおよびハンドル座の正面図
【図５】プルハンドルおよび上ハンドル座の分解斜視図
【図６】ロック装置の分解斜視図
【図７】（ａ）は図２のII−II線に沿った縦断面図、（ｂ）はプッシュハンドルおよびハンドル座の正面図
【図８】図７のIII−III線に沿った横断面図
【符号の説明】
【００４４】
１  扉装置
１０  扉枠
２０  扉
２１  内外連動バー
３０  ストライカ
３１  支持枠
３２  係止ピン
４０  上ハンドル座
４１  アーム挿入孔
４２  カバー
４２ａ  切り欠き部
４３  解除アーム
４３ａ  窓
４３ｂ  長孔
４３ｃ  係止ピン
４４  連結ピン
４５  キックばね
５０  下ハンドル座
５１  ヒンジ
６０  プルハンドル
７０  ロック装置
７１  ケーシング
７１ａ  フランジ
７１ｂ、７１ｃ  支持ピン
７１ｄ  長孔
７２  ラッチ
７２ａ  係合凹部
７２ｂ  係合爪
７３  ラチェット
７３ａ  ロック爪
７３ｂ  連動ピン
７３ｃ  ガイドピン
７４  ストッパ
７４ａ  ゴムリング
７５、７６  弾性部材
７７  リンク
７７ａ  突片
８０  上ハンドル座
８１  解除バー
９０  下ハンドル座
９１  ヒンジ
１００  プッシュハンドル
【図１】
2007291688.tif 000003
【図２】
2007291688.tif 000004
【図３（ａ）】
2007291688.tif 000005
【図３（ｂ）】
2007291688.tif 000006
【図３（ｃ）】
2007291688.tif 000007
【図４】
2007291688.tif 000008
【図５】
2007291688.tif 000009
【図６】
2007291688.tif 000010
【図７】
2007291688.tif 000011
【図８】
2007291688.tif 000012